(57)【要約】      （修正有）【課題】誰もが簡単且つ容易に組み立て可能で、美観的にも高級感があり、且つ、部屋の角部に適合する外観形状、及び、所定のテレビサイズに適合する大きさをそれぞれ有し、かつ、安全性・組立機能性・経済性等に優れた配線簡易接続可能テレビ台を提供する。【解決手段】複数の電子機器を収納、及びテレビを設置することができる配線接続可能テレビ台において、テレビを設置できる天板１の下部を三区分にして、三種のボックス型箱体を設けて、中心部に電子機器を収納できる二段棚式主箱体４と、両サイドにそれぞれ関連、部品を収納できる棚板を持つ副箱体５、６とで構成されて、一体になった一枚天板１の中心部に二段棚式主箱体４を取り付け、主箱体の両サイドに副箱体５、６の二体を接触的に嵌め込み、両副箱体はそれぞれ左右交換ができるようになり、一方の副箱体は周囲の裏板と両側板を存在していなく、前面には内開きの二枚扉を持っている。【選択図】図１
0003218061.tif 000002
【実用新案登録請求の範囲】
【請求項１】
複数の電子機器を収納、及びテレビを設置することができる配線接続可能テレビ台において、テレビを設置できる天板の下部を，三区分にした三種のボックス型箱体にして、中心部に電子機器を収納できる二段棚式主箱体と、両サイドにそれぞれ関連、部品、用品を収納できる棚板を持つ副箱体とで構成されて、天板を一体化した一枚天板の中心位置の下に二段棚式主箱体を取り付け、前主箱体の両サイドに前記両副箱体の二体を接触的に嵌め込み、両副箱体は対象的形状体であって、それぞれ左右交換ができるようになっており、一方の副箱体は、裏面での操作が自由になるように周囲の裏板と両側板とを取り付けず、中心位置に柱様固定板を縦面に取り付け、前記固定板の上下に天板と底板と棚板を配置して、前面には内開きの二枚扉を持った構造箱体にしていることを特徴とする配線簡易接続可能テレビ台。
【請求項２】
天板を上部に持つ二段式棚式主箱体は、天板の寸法として幅３００〜５００ｍｍ、長さ１５００〜３０００ｍｍで、前記天板の中央部の位置に長さ８００〜１８００ｍｍ、奥行き３００〜５００ｍｍ、高さ３００〜６００ｍｍの箱体を固定して、二段棚式主箱体の上段部に透明性前板を持ち、内部にテレビ関係機器を収納できるようになっており、下段部は、引き出しにして、前板をすべての副箱体の前板と同様に状態にして、左右両サイドに密着して接合できるようになっていることを特徴とする請求項１に記載の配線簡易接続可能テレビ台。
【請求項３】
配線簡易接続可能にしている副箱体は、中心位置に柱様固定板を縦に取り付け、周囲の裏板と両側板を存在していなく、前記固定板の上下に天板と底板を配置して、縦３００〜６００ｍｍ、横３００〜６００ｍｍ、奥行き３００〜５００ｍｍであり、前記箱体の前面には中心から外開きの二枚扉を持って内部に棚を置き、壁面に持つ接続コンセントの方向に配置できるようにしていることを特徴とする請求項１に記載の配線簡易接続可能テレビ台。
【請求項４】
天板を上部に持つ二段式棚式主箱体は、底板と，鉛直方向に重なる電子機器設置用の二段の棚と、前記天板と底板と二段の棚を連繋する２つの側板および裏板と，配線機器から構成され、前記天板、前記側板、前記裏板に少なくとも一つの中空の穴を配線機器収容部として設け、前記配線機器収容部に前記配線機器を収容して、テレビ台の主箱体の裏板後面と側板と天板に少なくとも一つのコネクター取り付け口を具備し、前記コネクター取り付け口はテレビ台に設置された電子機器および、テレビ台外部の電子機器と接続されることを特徴とする請求項１、又は請求項２に記載の配線簡易接続可能テレビ台。
【考案の詳細な説明】
【技術分野】
【０００１】この考案は、一体的に天板の下に数個の箱体を配列して、端側に周囲に裏板と側板を持たない箱体を設置して、組立配列時に、簡単、且つ、容易に配置可能に設けた、配線簡易接続可能テレビ台に関するものである。
テレビ台に関し、詳しくはテレビ台に設置された複数電子機器間で配線機器を通じて接続配線するケーブル類をコンセントに接続できる、前記配線機器類の収容構造にしたテレビ台に関する。
【背景技術】
【０００２】従来のテレビ台は設置するテレビの大きさによって、形状や構造が異なり、且つ、部品点数及び金具類が多くて、組み立て方法が解り難く、又、部屋への配置、組み立てに必要な工具も複数の種類が必要に成り、配置、組み立て工数が多く、配置、組み立て時間も予想以上に掛かり、特に女性やお年寄りには容易に配置、組み立てることが難しかった。【０００３】そこで、上記の問題を解決するべく、配置、組み立て時の部品点数及び工数を減少し、且つ、誰もが容易に組立・分解が出来、且つ、梱包容積が嵩張らず経済的であり、且つ、美観的にも高級感が有り、部屋の角部でも設置可能で、且つ、安全性、作業性、経済性に優れた簡易組立式テレビ台の早期開発が求められている。これまでにテレビ台に関する文献も紹介されている（特許文献１〜２参照）。【０００４】各家庭で使用されているテレビは、通常テレビ台に載置されて配設されている。
テレビ台は棚板を有し、ここにＤＶＤデッキやゲーム機等を配することで、テレビに関連する機器を近接して収容することができるため、テレビ台は広く利用されている。一方でＤＶＤの普及に伴い、家庭内において映画を見るユーザが増加している。このようなユーザは、テレビ台にスピーカが付随したシアターラックをテレビ台として使用していることが提案されている（特許文献３参照）。【０００５】しかしながら、通常用いられているテレビ台は棚板がむき出しであるため、棚内に配された電気機器等が視認されてしまい、美観を損ねている。このことは、これらの機器の配線が露出して視認されてしまうことも相俟って美観を損ねている。また、塵埃等が棚板上に溜まってしまい、機器への影響が懸念され、そしてやはり美観が損なわれている。【０００６】塵埃の入り込みを防ぐため、テレビ台に扉を設けたものも数多く販売されている（特許文献４参照）。しかしながらこのような扉はリモコンにおける受光を妨げないように透明のガラス製のものが多く、結果的に棚内の機器や配線が視認されることから、美観の低減を防いでいるものではない。またこのような扉はテレビ台と一体となっているものが多く、扉を所望する際には最初から扉付きのテレビ台に限定して購入する必要がある。【０００７】テレビジョン受信機などのテレビ台は一般に、天板と，底板と，前記天板と底板とを連繋する２つの側板および裏板と，ヒンジ機構により両開き可能な前面扉と，前記底板の下面４箇所に取り付けたキャスター等を備えている。テレビ台に設置される電子機器間の接続は裏板に設けられた穴を通じてケーブル接続される（特許文献５参照）。【０００８】テレビ台に設置された複数電子機器間は配線機器を通じて接続配線するケーブル類によってコンセントに接続されているが、壁面のコンセント器具が限定で配置に苦慮するものであり、前記配線機器類の配置における適切な構造にしたテレビ台は存在していない。
【先行技術文献】
【特許文献】
【０００９】
【特許文献１】特開平８−１７３２５７号公報
【特許文献２】特開２００１−２６８４７８号公報
【特許文献３】特開２００９−２５３３４４号公報
【特許文献４】特開２０１２−１８６７６７号公報
【特許文献５】特開２０００−３３３０９９号公報
【考案の概要】
【考案が解決しようとする課題】
【００１０】そこで、上記課題を解決する為に、この考案は誰もが簡単且つ容易に組み立て可能で、美観的にも高級感があり、且つ、部屋の角部に適合する外観形状、及び、所定のテレビサイズに適合する大きさをそれぞれ有し、且つ、安全性・組立機能性・経済性等に優れた簡易組立式テレビ台を開発・提供することにある。【００１１】上記従来技術を考慮したものであり、棚内への塵埃の入り込みを極力抑制し、且つ棚内の機器や配線が視認されることなく美感性を高め、さらに脱着操作が容易なテレビ台を提供することを目的とする。配線機器がテレビ台の棚の中でスペースを占有する事無く、またハブやルータといった配線機器に詳しくない人でも容易にテレビ台に設置された電子機器と配線機器の配線とコンセントを接続可能とするテレビ台を提供することを目的とする。
【課題を解決するための手段】
【００１２】複数の電子機器を収納、及びテレビ類を設置することができる配線接続可能テレビ台において、テレビ類を設置できる天板の下部に，三区分のボックス型箱体を設けて、中心部に電子機器を収納できる二段棚式主箱体と、両サイドにそれぞれ関連、部品を収納できる棚板を持つ副箱体とで構成されて、一体になった一枚天板の中心部に二段棚式主箱体を取り付け、主箱体の両サイドに前記副箱体の二体を接触的に嵌め込み、両副箱体はそれぞれ左右交換ができるようになり、一方の副箱体は周囲の裏板と両側板を存在していなく、中心位置に柱様固定板を縦に取り付け、前記固定板の上下に天板と底板を配置して、前面には内開きの二枚扉を持っている配線簡易接続可能テレビ台である。【００１３】天板を上部に持つ二段式棚式主箱体は、天板の寸法として幅３００〜５００ｍｍ、長さ１５００〜３０００ｍｍで、前記天板の中央部の位置に長さ８００〜１８００ｍｍ、奥行き４００〜５００ｍｍ、高さ３００〜６００ｍｍの箱体を固定して、二段棚式主箱体の上段部に透明性前板を持ち、内部にテレビ関係機器を収納できるようになっており、下段部は、引き出しにして、前板をすべての副箱体の前板と同様に状態にして、左右両サイドに密着して接合できるようになっている。【００１４】配線簡易接続可能にしている副箱体は、中心位置に柱様固定板を縦に取り付け、周囲の裏板と両側板を存在していなく、前記固定板の上下に天板と底板を配置して、縦３００〜６００ｍｍ、横３００〜６００ｍｍ、奥行き３００〜５００ｍｍであり、前記箱体の前面には中心から外開きの二枚扉を持って内部に棚を置き、壁面に持つ接続コンセントの方向に配置できるようにしている。【００１５】天板を上部に持つ二段式棚式主箱体は、底板と，鉛直方向に重なる電子機器設置用の二段の棚と、前記天板と底板と二段の棚を連繋する２つの側板および裏板と，配線機器から構成され、前記天板、前記側板、前記裏板に少なくとも一つの中空の穴を配線機器収容部として設け、前記配線機器収容部に前記配線機器を収容して、テレビ台の主箱体の裏板後面と側板と天板に少なくとも一つのコンセントを具備し、前記コンセントはテレビ台に設置された電子機器および、テレビ台外部の電子機器と接続される。
【考案の効果】
【００１６】この考案の効果として、壁面のコンセントに気にせずに、テレビ台の設置が簡易であって、天板の下の箱体を適切に設置すれば、予め組立可能な部品を組み立て、組立不良を無くし、誰もが簡単、且つ、容易に短時間で組み立て可能で、美観的にも高級感があり、且つ、部屋の角部に適合する外観形状、及び、所定のテレビサイズに適合する大きさの品揃えを完備し、且つ、安全性・組立機能性・経済性等に優れる等、極めて有益なる効果を奏するものである。さらに部屋壁とテレビ台の隙間が無くなって、埃、ごみの堆積がが無くなり、掃除も容易になった。【００１７】  本考案によれば、天板付き主箱体のテレビ台本体により、両サイドに副箱体を左右選択的に配置して、棚内への塵埃の入り込みを極力抑制し、且つ棚内の機器や配線が視認されることなく美感性を高めることができる。また、手前側テレビ台の上部にはテレビが配されているので、コンセントへの配線を容易に底板と天板間に入れ込んで装着することができる。このため、脱着操作が容易となり、作業性が向上する。【００１８】以上のように、本考案のテレビ台によれば配線機器及び配線機器に接続されるケーブルをテレビ台内部に収容させることで配線機器がテレビ台の棚のスペースを占有する事無く、またハブやルータといった配線機器に詳しくない人でも容易にテレビ台に設置された電子機器と配線機器とをコンセントに接続可能とするテレビ台を提供することができる。
【図面の簡単な説明】
【００１９】
【図１】この考案の一実施例を示し、配線簡易接続可能テレビ台の斜視図である。
【図２】天板付き二段棚式主箱体の斜視図である。
【図３】周囲の側板、裏板のない副箱体の斜視図である。Ａ：扉を閉めた状態  Ｂ：内部の状態
【図４】収納型副箱体の斜視図である。
【図５】配線簡易接続可能テレビ台の組み立て前の主要部品の一部拡大断面図である。
【図６】この考案の一実施例を示し、配線簡易接続可能テレビ台の組立手順と配線を示す斜視図である。
【図７】配線簡易接続可能テレビ台の使用した状態図
【考案を実施するための形態】
【００２０】    この考案を実施するための形態として、左右側板を折り畳み収納式にし、組立時に、誰もが簡単、且つ、容易に組み立て可能に設けたテレビ台である。複数の電子機器を収納、及びテレビ類を設置することができる配線接続可能テレビ台において、テレビ類を設置できる天板の下部に，三区分のボックス型箱体を設けて、中心部に電子機器を収納できる二段棚式主箱体と、両サイドにそれぞれ関連、部品を収納できる棚板を持つ副箱体とで構成されて、一体になった一枚天板の中心部に二段棚式主箱体を取り付け、前主箱体の両サイドに前記副箱体の二体を接触的に嵌め込み、両副箱体はそれぞれ左右交換ができるようになり、一方の副箱体は周囲の裏板と両側板を存在していなく、中心位置に柱様固定板を縦に取り付け、前記固定板の上下に天板と底板を配置して、前面には内開きの二枚扉を持っている配線簡易接続可能テレビ台である。
【実施例１】
【００２１】図１に示すように、ＭＤＦ板からなる天板を上部に持つ二段式棚式主箱体は、天板の寸法として幅４５０ｍｍ、長さ２３００ｍｍで、前記天板の中央部の位置に長さ１５００ｍｍ、奥行き４５０ｍｍ、高さ４５０ｍｍの箱体を固定して、二段棚式主箱体の上段部に透明性前板を持ち、内部にテレビ関係機器を収納できるようになっており、下段部は、引き出しにして、前板をすべての副箱体の前板と同様に状態になって、左右両サイドに密着して接合できるようにした。【００２２】図３Ａ，Ｂに示すように配線簡易接続可能にしている副箱体は、中心位置に柱様固定板を縦に取り付け、周囲の裏板と両側板を存在していなく、前記固定板の上下に天板と底板を配置して、Ａのように縦４００ｍｍ、横４００ｍｍ、奥行き４５０ｍｍであり、前記箱体の前面には中心から外開きの二枚扉を持って内部に棚を置き、壁面に持つ接続コンセント部の方向に配置した。【００２３】図２に示すように、天板を上部に持つ二段式棚式主箱体は、底板と，鉛直方向に重なる電子機器設置用の二段の棚と、前記天板と底板と二段の棚を連繋する２つの側板および裏板と，配線機器から構成され、前記天板、前記側板、前記裏板に少なくとも一つの中空の穴を配線機器収容部として設け、前記配線機器収容部に前記配線機器を収容して、図５で示すようにテレビ台の主箱体の裏板後面と側板と天板に少なくとも一つのコンセントを具備し、前記コンセントはテレビ台に設置された電子機器および、テレビ台外部の電子機器と接続されるようにした。【００２４】図６のようにして、各部分を組み立てて、図７のように天板上にテレビを設置して使用した。これによって部屋内のコンセントへの配線を容易に底板と天板間に入れ込んで装着することができ、台の配置の自由度が持たれて、部屋の位置づけも簡単になった。また脱着操作が容易となり、取り付けの作業性が向上した。
【実施例２】
【００２５】実施例１と同様にして、図１に示すように、天板を上部に持つ二段式棚式主箱体は、天板の寸法として幅４００ｍｍ、長さ１５００ｍｍで、前記天板の中央部の位置に長さ１５００ｍｍ、奥行き４００ｍｍ、高さ４００ｍｍの箱体を固定して、二段棚式主箱体の上段部に透明性前板を持ち、内部にテレビ関係機器を収納できるようになっており、下段部は、引き出しにして、前板をすべての副箱体の前板と同様に状態になって、左右両サイドに密着して接合できるようにした。【００２６】図３Ａ，Ｂに示すように配線簡易接続可能にしている副箱体は、中心位置に柱様固定板を縦に取り付け、周囲の裏板と両側板を存在していなく、前記固定板の上下に天板と底板を配置して、Ａのように縦３００ｍｍ、横３００ｍｍ、奥行き４００ｍｍであり、前記箱体の前面には中心から外開きの二枚扉を持って内部に棚を置き、壁面に持つ接続コンセント部の方向に配置した。また前面の底板部にコンセントを取り付けて、電気配線が容易にした。【００２７】図２に示すように、天板を上部に持つ二段式棚式主箱体は、底板と，鉛直方向に重なる電子機器設置用の二段の棚と、前記天板と底板と二段の棚を連繋する２つの側板および裏板と，配線機器から構成され、前記天板、前記側板、前記裏板に少なくとも一つの中空の穴を配線機器収容部として設け、前記配線機器収容部に前記配線機器を収容して、図５で示すようにテレビ台の主箱体の裏板後面と側板と天板に少なくとも一つのコンセントを具備し、前記コンセントはテレビ台に設置された電子機器および、テレビ台外部の電子機器と接続されるようにした。【００２８】図６のようにして、各部分を組み立てて、図７のように天板上にテレビを設置して使用した。これによって部屋内のコンセントへの配線を容易に底板と天板間に入れ込んで装着することができ、台の配置の自由度が持たれて、部屋の位置づけも簡単になった。また脱着操作が容易となり、取り付けの作業性が向上した。
【産業上の利用可能性】
【００２９】  この考案の簡易組立式テレビ台は、誰もが簡単且つ容易に組み立て可能で、美観的にも高級感があり、且つ、部屋の角部に適合する外観形状、及び、所定のテレビサイズに適合する大きさをそれぞれ有し、且つ、安全性・組立機能性・経済性等に優れているため、製造・販売することで、多くの関係市場に寄与するため、産業上の利用可能性を有する。
【符号の説明】
【００３０】  Ｓ  配線簡易接続可能テレビ台
１  天板
２  底板
３  側板
４  二段棚式主箱体
５  副箱体（配線可能）
６  副箱体
７  テレビ
８  配線
９  コンセント
１０  家具コンセント
１１  電子機器
１２  棚
１３  扉
１４  透明材料を有する扉
１５  引き出し
【図１】
0003218061.tif 000003
【図２】
0003218061.tif 000004
【図３】
0003218061.tif 000005
【図４】
0003218061.tif 000006
【図５】
0003218061.tif 000007
【図６】
0003218061.tif 000008
【図７】
0003218061.tif 000009